(57)【要約】【課題】主表示装置の左右どちら側にも副表示装置を配置することができ、軽量化を図ることのできる電子機器を提供する。【解決手段】主表示装置２０と、主表示装置２０の背面に配置される中央位置と、中央位置から右方向に所定距離移動した右側位置と、中央位置から左方向に所定距離移動した左側位置との間で移動可能に構成される蓋体筐体３０と、蓋体筐体３０内に左右方向に移動可能に支持される副表示装置４０と、蓋体筐体３０を主表示装置２０に対して移動させる際の動力を副表示装置４０に伝えることにより、副表示装置４０を蓋体筐体３０に対して蓋体筐体３０と同方向に移動させる動力伝達手段５０とを備える。蓋体筐体３０が右側位置に到達したときに、副表示装置４０を主表示装置２０の右側に隣接する右側使用位置に配置させる一方、蓋体筐体３０が左側位置に到達したときに、副表示装置４０を主表示装置２０の左側に隣接する左側使用位置に配置させる。【選択図】図２
2010128805.tif 000002
【特許請求の範囲】
【請求項１】
主表示装置と、
正面が開口するとともに前記主表示装置の背面全域を覆う大きさに形成され、前記主表示装置の背面に配置される中央位置と、前記中央位置から右方向に所定距離移動した右側位置と、前記中央位置から左方向に所定距離移動した左側位置との間で移動可能に構成される筐体と、
前記筐体内に左右方向に移動可能に支持される副表示装置と、
前記筐体を前記主表示装置に対して移動させる際の動力を前記副表示装置に伝えることにより、前記副表示装置を前記筐体に対して前記筐体と同方向に移動させる動力伝達手段と、を備え、
前記筐体が前記右側位置に到達したときに、前記副表示装置を前記主表示装置の右側に隣接して配置させる一方、前記筐体が前記左側位置に到達したときに、前記副表示装置を前記主表示装置の左側に隣接して配置させるように構成したことを特徴とする電子機器。
【請求項２】
前記動力伝達手段は、
前記主表示装置に設けられた第１ラックと、
前記筐体に設けられた軸に支持され、前記第１ラックと噛み合う第１ピニオンと、
前記副表示装置に設けられた第２ラックと、
前記軸に支持されて前記第１ピニオンと一体的に回転し、前記第２ラックと噛み合う第２ピニオンとから構成されることを特徴とする請求項１に記載の電子機器。
【請求項３】
前記動力伝達手段は、
前記主表示装置に設けられたラックと、
前記筐体に設けられた軸に支持され、前記ラックと噛み合うピニオンと
前記副表示装置に設けられたガイドピンと、
前記軸に支持されて前記ピニオンと一体的に回転するアームと、
前記アームに設けられ、前記ガイドピンを案内する長孔とから構成されることを特徴とする請求項１に記載の電子機器。
【請求項４】
携帯用のパーソナルコンピュータであることを特徴とする請求項１から３のいずれか一つに記載の電子機器。
【発明の詳細な説明】
【技術分野】
【０００１】
本発明は、液晶ディスプレイ等から構成される表示装置を備えた電子機器に関するものである。
【背景技術】
【０００２】
この種の電子機器として、ノートブック型パーソナルコンピュータ（以下、単に「ノートＰＣ」という）が知られている。ノートＰＣは、本体筐体及び蓋体筐体を備えて構成されている。本体筐体は、内部にコンピュータの構成部品を収容した箱体であり、その上面にはキーボードが設けられている。蓋体筐体は、本体筐体の上面に対向する面に表示画面を露出させる態様で液晶ディスプレイ等の表示装置を収容した箱体であり、本体筐体の上面に対して開閉可能となる態様で、本体筐体に回転可能に支持されている。
【０００３】
上記のノートＰＣにおいて、蓋体筐体の内部に２枚の副表示装置を並設した状態で収容し、必要に応じて蓋体筐体から一方の副表示装置を右方向に引出し、もう一方の副表示装置を左方向に引出すことにより、各副表示装置を主表示装置の左右両側にそれぞれ隣接して配置できるように構成されたノートＰＣが知られている（例えば特許文献１，２を参照）。
【０００４】
【特許文献１】米国特許第６５３２１４６号明細書
【特許文献１】特開平１１−１４９３２８号
【発明の開示】
【発明が解決しようとする課題】
【０００５】
特許文献１，２のノートＰＣでは、主表示装置とは別個に、蓋体筐体内部に右用と左用の２枚の副表示装置を収容している。このため、副表示装置を装備していない通常のノートＰＣと比べて重量が増加し、ノートＰＣの可搬性が損なわれるという問題がある。また、通常、使用者が左右の副表示装置を両方同時に配置して使用することは稀であり、少なくとも左右いずれか一方の副表示装置を用いることができれば支障はないと考えられる。
【０００６】
本発明は、上記実情に鑑みてなされたもので、主表示装置の左右どちら側にも副表示装置を配置することができ、かつ、軽量化を図ることのできる電子機器を提供することを目的とする。
【課題を解決するための手段】
【０００７】
上記目的を達成するため、本発明は、主表示装置と、正面が開口するとともに前記主表示装置の背面全域を覆う大きさに形成され、前記主表示装置の背面に配置される中央位置と、前記中央位置から右方向に所定距離移動した右側位置と、前記中央位置から左方向に所定距離移動した左側位置との間で移動可能に構成される筐体と、前記筐体内に左右方向に移動可能に支持される副表示装置と、前記筐体を前記主表示装置に対して移動させる際の動力を前記副表示装置に伝えることにより、前記副表示装置を前記筐体に対して前記筐体と同方向に移動させる動力伝達手段と、を備え、前記筐体が前記右側位置に到達したときに、前記副表示装置を前記主表示装置の右側に隣接して配置させる一方、前記筐体が前記左側位置に到達したときに、前記副表示装置を前記主表示装置の左側に隣接して配置させるように構成したことを特徴とする。
【０００８】
また、本発明の好ましい態様によれば、前記動力伝達手段は、前記主表示装置に設けられた第１ラックと、前記筐体に設けられた軸に支持され、前記第１ラックと噛み合う第１ピニオンと、前記副表示装置に設けられた第２ラックと、前記軸に支持されて前記第１ピニオンと一体的に回転し、前記第２ラックと噛み合う第２ピニオンとから構成されることが望ましい。
【０００９】
また、本発明の好ましい態様によれば、前記動力伝達手段は、前記主表示装置に設けられたラックと、前記筐体に設けられた軸に支持され、前記ラックと噛み合うピニオンと前記副表示装置に設けられたガイドピンと、前記軸に支持されて前記ピニオンと一体的に回転するアームと、前記アームに設けられ、前記ガイドピンを案内する長孔とから構成されることが望ましい。
【００１０】
また、本発明の好ましい態様によれば、携帯用のパーソナルコンピュータに適用されることが望ましい。
【発明の効果】
【００１１】
本発明の電子機器によれば、筐体内に収容された一つの副表示装置を主表示装置の左右どちら側にも隣接させて配置することができる。その結果、右用と左用の２つの副表示装置を装備した従来の電子機器と比べて軽量化を図ることができる。
【発明を実施するための最良の形態】
【００１２】
以下に添付図面を参照して、本発明の電子機器を携帯用のパーソナルコンピュータ（以下、「ノートブック型パーソナルコンピュータ」という）に適用した場合の好適な実施の形態について詳細に説明する。
【００１３】
（実施の形態１）
図１は、本実施の形態であるノートブック型パーソナルコンピュータ１（以下、単に「ノートＰＣ１」と称する）を示した斜視図、図２は、図１に示したノートＰＣ１における主表示装置２０の右側に副表示装置４０を隣接して配置した状態を示した図、図３は、図１に示したノートＰＣ１における主表示装置２０の左側に副表示装置４０を隣接して配置した状態を示した図、図４は、図２に示したノートＰＣ１を後ろから見た図である。また、図５はノートＰＣ１の分解斜視図であり、図６は主表示装置２０、蓋体筐体３０及び副表示装置４０の断面図である。
【００１４】
図１に例示されるノートＰＣ１は、本体筐体１０、主表示装置２０、蓋体筐体３０及び副表示装置４０とを備えて構成されている。
【００１５】
本体筐体１０は、図には明示していないが、その内部に制御手段であるＣＰＵや記憶手段であるメモリ、電源装置であるバッテリー等のノートＰＣ１の構成部品を収容する箱体であり、その上面１１にキーボード１２を備えている。キーボード１２は、図示は省略するが、金属板によって構成したベース部材の上面にメンブレンスイッチシート及び複数のキートップ１３を配設して構成した入力装置である。本体筐体１０の上面１１において手前側に位置する部位にはパームレスト領域１４が確保してある。
【００１６】
主表示装置２０は、正面に液晶ディスプレイや有機ＥＬ等からなる表示部２１を備えた薄型平板状の箱体であり、本体筐体１０の上面１１に対して開閉可能となる態様でヒンジ部材２２を介して本体筐体１０に回転可能に支持されている。
【００１７】
蓋体筐体３０は、主表示装置２０の背面２３のほぼ全域を覆う大きさに形成された薄型平板状の箱体であり、主表示装置２０が閉じた状態にあるときにノートＰＣ１の蓋体として機能するものである。蓋体筐体３０は、図５及び図６に示すように正面が開口しており、開口面３１の上端及び下端にはそれぞれレール３２ａ，３２ｂ（図６にのみ図示）が設けられている。そして、この蓋体筐体３０は、開口面３１を主表示装置２０の背面２３に対向させた状態で、レール３２ａ，３２ｂを介して主表示装置２０の背面２３に左右方向に移動可能に支持されている。
【００１８】
上記のように構成される蓋体筐体３０は、図１に示すようにその全体が主表示装置２０の背面２３に配置される「中央位置」と、図２に示すように中央位置から右方向に所定距離移動した「右側位置」と、図３に示すように収容位置から左方向に所定距離移動した「左側位置」との間で移動可能となっている。
【００１９】
副表示装置４０は、正面に液晶ディスプレイや有機ＥＬ等からなる表示部４１を備えた薄型の箱体であり、その幅寸法（左右方向寸法）は、主表示装置２０の半分程度の大きさに形成されている。また、表示部４１の高さ寸法は、主表示装置２０の表示部２１の高さ寸法とほぼ同じに形成されている。この副表示装置４０は、図６に示すように、蓋体筐体３０の内壁面に取り付けられたレール３３ａ，３３ｂ（図６にのみ図示）によって、蓋体筐体３０内に左右方向に移動可能に支持されている。
【００２０】
図５及び図６に示すように、上述した主表示装置２０、蓋体筐体３０及び副表示装置４０との間には、動力伝達手段５０が設けられている。
【００２１】
動力伝達手段５０は、蓋体筐体３０を主表示装置２０に対して移動させる際の動力を副表示装置４０に伝えることにより、副表示装置４０を蓋体筐体３０に対して蓋体筐体３０と同方向に移動させるように構成されている。この動力伝達手段５０により、副表示装置４０は、図１に示すように主表示装置２０の背面に配置される「収容位置」と、図２に示すように蓋体筐体３０が右方向に移動するのに伴い、収容位置から右方向に移動して主表示装置２０の右側に隣接して配置される「右側使用位置」と、図３に示すように蓋体筐体３０が収容位置から左方向に移動するのに伴い、収容位置から左方向に移動して主表示装置２０の左側に隣接して配置される「左側使用位置」との間で移動可能となっている。
【００２２】
動力伝達手段５０は、第１ラック５１、第１ピニオン５２、第２ラック５３及び第２ピニオン５４とから構成されている。
【００２３】
第１ラック５１は、図５に示すように主表示装置３０の背面２３の下端部中央位置に設けられている。第１ピニオン５２は、第１ラック５１と噛み合う円形歯車であり、蓋体筐体３０の内壁面の下端に設けられた軸３４に回転自在に軸支されている。第２ラック５３は、図５に示すように副表示装置４０の下縁部全域に亘って設けられている。第２ピニオン５４は、第２ラック５３と噛み合う円形歯車であり、図６に示すように蓋体筐体３０の軸３４に第１ピニオン５２とともに軸支され、第１ピニオン５２と一体的に回転する。
【００２４】
以下、副表示装置４０の引出し機構及びその作用について説明する。図７は、副表示装置４０が図１に示す「収容位置」から図２に示す「右側使用位置」に配置されるまでの機構を説明するための図である。図７の上図に示すように、副表示装置４０が収容位置に配置された状態では、第１ピニオン５２は第１ラックの中央に位置し、第２ピニオン５４は、第２ピニオン５３の中央に位置している。
【００２５】
使用者によって蓋体筐体３０が主表示装置２０に対して右方向に引き出されると、第１ピニオン５２が第１ラック５１と噛み合って回転して蓋体筐体３０が右方向に移動すると同時に、第２ラック５３と第２ピニオン５４が噛み合っているため、副表示装置４０が蓋体筐体３０に対して右方向に移動する。
【００２６】
ここで、副表示装置４０は蓋体筐体３０に対して右方向に移動するから、副表示装置４０の主表示装置２０に対する移動距離は、必ず、蓋体筐体３０の主表示装置２０に対する移動距離よりも大きくなる。そのため、蓋体筐体３０が所定距離右方向に移動して、第１ピニオン５２が第１ラック５１の右端に達したときに、副表示装置４０が蓋体筐体３０の右端に達するように、第１ラックの長さ２Ｌ１、副表示装置４０の幅寸法（左右方向の長さ）、蓋体筐体３０の幅寸法（左右方向の長さ）、第１ピニオン５２と第２ピニオン５４の半径比等が調整されている。
【００２７】
図７の中図は、上記で説明したように第１ピニオン５２が第１ラック５１の右端に達し、かつ、副表示装置４０が蓋体筐体３０の右端に達したときの状態を示している。さらに、図７の中図に示す状態から蓋体筐体３０が右方向に距離Ｌ２引き出されると、第１ピニオン５２は第１ラック５１から外れているため第１ピニオン５２は回転せず、蓋体筐体３０と副表示装置４０が一体となって右に動く。その結果、蓋体筐体３０が右側位置に達するとともに、副表示装置４０は、図７の下図に示すように、その全体が外部に露出した「右側使用位置」に配置される。
【００２８】
図７の中図に示したように、第１ラック５１の長さを２Ｌ１として、蓋体筐体３０をＬ１移動させる場合、副表示装置４０の第２ラック５２に噛み合う第２ピニオン５４の半径が第１ピニオン５２よりも大きいと、蓋体筐体３０に対する副表示装置４０の移動距離は、Ｌ１よりも大きくなる。逆に、第２ピニオン５４の半径が第１ピニオン５２よりも小さいと、蓋体筐体３０に対する副表示装置４０の移動距離は、Ｌ１より小さくなる。すなわち、第１ピニオン５２と第２ピニオン５４の半径の大小関係にかかわらず、主表示装置２０に対する副表示装置４０の移動距離は、主表示装置２０に対する蓋体筐体３０の移動距離よりも必ず長くなるから、蓋体筐体３０に対して副表示装置４０をどの程度移動させるかに依存して、第１ピニオン５２と第２ピニオン５４の半径比を適宜決めればよい。
【００２９】
次に、図８を参照しながら、副表示装置４０が図１に示す「収容位置」から図３に示す「左側使用位置」に配置されるまでの機構について説明する。図８の上図に示すように、副表示装置４０が収容位置に配置された状態では、第１ピニオン５２は第１ラックの中央に位置し、第２ピニオン５４は、第２ラック５３の中央に位置している。
【００３０】
使用者によって蓋体筐体３０が主表示装置２０に対して左方向に引き出されると、第１ピニオン５２が第１ラック５１と噛み合って回転して蓋体筐体３０が左方向に移動すると同時に、第２ラック５３と第２ピニオン５４が噛み合っているため、副表示装置４０が蓋体筐体３０に対して左方向に移動する。
【００３１】
副表示装置４０の主表示装置２０に対する移動距離は、蓋体筐体３０の主表示装置２０に対する移動距離よりも大きくなる。このため、図８の中図に示すように、蓋体筐体３０が距離Ｌ１左方向に移動して、第１ピニオン５２が第１ラック５１の左端に達したときに、副表示装置４０は蓋体筐体３０の左端に達する。
【００３２】
さらに、図８の中図に示す状態から蓋体筐体３０が左方向に距離Ｌ２引き出されると、第１ピニオン５２は第１ラック５１から外れているため第１ピニオン５２は回転せずに、蓋体筐体３０と副表示装置４０が一体となって左に動く。その結果、蓋体筐体３０が左側位置に達するとともに、副表示装置４０は、その全体が外部に露出し、図８の下図に示すように「左側使用位置」に配置される。
【００３３】
以上説明したように、本実施の形態のノートＰＣ１は、主表示装置２０の背面２３に配置される中央位置と、中央位置から右方向に所定距離移動した右側位置と、中央位置から左方向に所定距離移動した左側位置との間で移動可能に構成される蓋体筐体３０と、この蓋体筐体３０内に左右方向に移動可能に支持される副表示装置４０と、蓋体筐体３０を主表示装置２０に対して移動させる際の動力を副表示装置４０に伝えることにより、副表示装置４０を蓋体筐体３０に対して蓋体筐体３０と同方向に移動させる動力伝達手段５０とを備え、蓋体筐体３０が右側位置に到達したときに、副表示装置４０を主表示装置２０の右側に隣接して配置させる一方、蓋体筐体３０が左側位置に到達したときに、副表示装置４０を主表示装置２０の左側に隣接して配置させる構成とした。上記のように構成したことで、蓋体筐体３０の幅寸法の半分程度の幅寸法に形成された一枚の副表示装置４０を、主表示装置２０の左右どちら側にも隣接させて配置することができる。その結果、右用と左用の２つの副表示装置を装備した従来のノートＰＣと比べて軽量化を図ることができる。
【００３４】
また、動力伝達手段５０は、ラックアンドピニオンを用いた極めて簡易な構成であるから、動力伝達手段５０を設けたことでノートＰＣが大型化するといったことはなく、ノートＰＣ１の可搬性に影響を及ぼすことはない。
【００３５】
（実施の形態２）
次に、本発明の実施の形態２に係るノートＰＣ１について説明する。なお、上述した実施の形態１で説明した構成と同一の構成については同一の符号を付して説明する。
【００３６】
図９は、実施の形態２に係るノートＰＣ１の分解斜視図であり、図１０は、図９に示した主表示装置２０、蓋体筐体３０及び副表示装置４０の断面図である。この実施の形態２では、実施の形態１の動力伝達手段５０における第２ラック５３及び第２ピニオン５４を設ける替わりに、ガイドピン５５とアーム５６とを設けた構成としている。それ以外の構成は、実施の形態１と同じである。
【００３７】
図９及び図１０に示すように、動力伝達手段５０´は、ラック５１´、ピニオン５２´、ガイドピン５５及びアーム５６とから構成されている。
【００３８】
ラック５１´は、上述した実施の形態１における第１ラック５１と同様に、主表示装置３０の背面２３の下端部中央位置に設けられている。ピニオン５２´は、ラック５１´と噛み合う円形歯車であり、実施の形態１における第１ピニオン５２と同様に、蓋体筐体３０の内壁面の下端に設けられた軸３４に回転自在に軸支されている。ガイドピン５５は、副表示装置４０の背面４２に突出して設けられている。アーム５６は、その基端部が蓋体筐体３０の軸３４にピニオン５２´とともに軸支された平板状の棒材であり、ピニオン５２´と一体的に回転する。このアーム５６の上部には長孔５７が形成され、この長孔５７にガイドピン５５が挿通されている。ガイドピン５５は、アーム５６の回転に伴って長孔５７を案内される。
【００３９】
以下、図１１を参照しながら、実施の形態２における副表示装置４０の引出し機構及びその作用について説明する。図１１の上図に示すように、副表示装置４０が収容位置に配置された状態では、ピニオン５２´はラック５１´の中央に位置し、アーム５６の先端部は蓋体筐体３０の中央に位置している。
【００４０】
使用者によって蓋体筐体３０が主表示装置２０に対して右方向に引き出されると、ピニオン５２´がラック５１´と噛み合って回転して蓋体筐体３０が右方向に移動すると同時に、アーム５６の回転に伴ってガイドピン５５がアーム５６の長孔５７を案内されることで、副表示装置４０が蓋体筐体３０に対して右方向に移動する。
【００４１】
ここで、副表示装置４０は蓋体筐体３０に対して右方向に移動するから、副表示装置４０の主表示装置２０に対する移動距離は、必ず、蓋体筐体３０の主表示装置２０に対する移動距離よりも大きくなる。そのため、蓋体筐体３０が所定距離右方向に移動して、ピニオン５２´がラック５１´の右端に達したときに、副表示装置４０が蓋体筐体３０の右端に達するように、ラック５１´の長さ、副表示装置４０の幅寸法（左右方向の長さ）、蓋体筐体３０の幅寸法（左右方向の長さ）、ピニオン５２´の半径とアーム５６の長さとの比などが調整されている。
【００４２】
図１１の中図は、上記で説明したようにピニオン５２´がラック５１´の右端に達し、かつ、副表示装置４０が蓋体筐体３０の右端に達したときの状態を示している。さらに、図１１の中図に示す状態から蓋体筐体３０が右方向に引き出されると、ピニオン５２´はラック５１´から外れているためピニオン５２´は回転せずに、蓋体筐体３０と副表示装置４０が一体となって右に動く。その結果、蓋体筐体３０が右側位置に達するとともに、副表示装置４０は、その全体が外部に露出し、図１１の下図に示すように「右側使用位置」に配置される。
【００４３】
次に、図１２を参照しながら、副表示装置４０が図１に示す「収容位置」から図３に示す「左側使用位置」に配置されるまでの機構について説明する。図１２の上図に示す状態から使用者によって蓋体筐体３０が主表示装置２０に対して左方向に引き出されると、ピニオン５２´がラック５１´と噛み合って回転して蓋体筐体３０が左方向に移動すると同時に、アーム５６の回転に伴ってガイドピン５５がアーム５６の長孔５７を案内されることで、副表示装置４０が蓋体筐体３０に対して右方向に移動する。
【００４４】
副表示装置４０の主表示装置２０に対する移動距離は、蓋体筐体３０の主表示装置２０に対する移動距離よりも大きくなる。このため、図１２の中図に示すように、蓋体筐体３０が左方向に移動してピニオン５２´がラック５１´の左端に達したときに、副表示装置４０は蓋体筐体３０の左端に達する。
【００４５】
さらに、図１２の中図に示す状態から蓋体筐体３０が左方向に引き出されると、ピニオン５２´はラック５１´から外れているためピニオン５２´は回転せずに、蓋体筐体３０と副表示装置４０が一体となって左に動く。その結果、蓋体筐体３０が左側位置に達するとともに、副表示装置４０は、その全体が外部に露出し、図１２の下図に示すように「左側使用位置」に配置される。
【００４６】
以上説明したように、実施の形態２のノートＰＣ１は、上記実施の形態１と同様に、主表示装置２０の背面２３に配置される中央位置と、中央位置から右方向に所定距離移動した右側位置と、中央位置から左方向に所定距離移動した左側位置との間で移動可能に構成される蓋体筐体３０と、この蓋体筐体３０内に左右方向に移動可能に支持される副表示装置４０と、蓋体筐体３０を主表示装置２０に対して移動させる際の動力を副表示装置４０に伝えることにより、副表示装置４０を蓋体筐体３０に対して蓋体筐体３０と同方向に移動させる動力伝達手段５０´とを備え、蓋体筐体３０が右側位置に到達したときに、副表示装置４０を主表示装置２０の右側に隣接して配置させる一方、蓋体筐体３０が左側位置に到達したときに、副表示装置４０を主表示装置２０の左側に隣接して配置させる構成とした。上記のように構成したことで、蓋体筐体３０の幅寸法の半分程度の幅寸法に形成された一枚の副表示装置４０を、主表示装置２０の左右どちら側にも隣接させて配置することができる。その結果、右用と左用の２つの副表示装置を装備した従来のノートＰＣと比べて軽量化を図ることができる。
【００４７】
また、動力伝達手段５０´は、ラックアンドピニオンとガイドピン５５とアーム５６を用いた簡易な構成であるから、上記実施の形態１の動力伝達手段５０と同様に、ノートＰＣ１が大型化するといったことはなく、ノートＰＣ１の可搬性に影響を及ぼすことはない。
【００４８】
なお、動力伝達手段の構成については、上記実施の形態１，２で示した構成に限定されるものではなく、上記以外の構成としてもよい。
【００４９】
さらに、上記実施の形態では、本発明の電子機器をノートブック型パーソナルコンピュータに適用した例について説明したが、本発明はこれに限定されるものではなく、表示装置を備えたその他の電子機器に適用することも可能である。
【図面の簡単な説明】
【００５０】
【図１】本発明のノートＰＣを示した概略斜視図である。
【図２】図１に示したノートＰＣの主表示装置の右側に副表示装置を隣接して配置した状態を示した図である。
【図３】図１に示したノートＰＣの主表示装置の左側に副表示装置を隣接して配置した状態を示した図である。
【図４】図２に示したノートＰＣを後ろから見た図である。
【図５】実施の形態１に係るノートＰＣの分解斜視図である。
【図６】図５に示した主表示装置、蓋体筐体及び副表示装置の断面図である。
【図７】副表示装置を右側使用位置へ移動させる機構の説明図である。
【図８】副表示装置を左側使用位置へ移動させる機構の説明図である。
【図９】実施の形態２に係るノートＰＣの分解斜視図である。
【図１０】図９に示した主表示装置、蓋体筐体及び副表示装置の断面図である。
【図１１】副表示装置を右側使用位置へ移動させる機構の説明図である。
【図１２】副表示装置を左側使用位置へ移動させる機構の説明図である。
【符号の説明】
【００５１】
１      ノートブック型パーソナルコンピュータ（電子機器）
１０      本体筐体
１１      本体筐体の上面
１２      キーボード
１３      キートップ
１４      パームレスト領域
２０      主表示装置
２１      表示部
２２      ヒンジ部
２３      主表示装置の背面
３０      蓋体筐体
３１      開口面
３２ａ，３２ｂ  レール
３３ａ，３３ｂ  レール
３４      軸
４０      副表示装置
４１      表示部
４２      副表示装置の背面
５０      動力伝達手段
５１      第１ラック
５１´    ラック
５２      第１ピニオン
５２´    ピニオン
５３      第２ラック
５４      第２ピニオン
５５      ガイドピン
５６      アーム
５７      長孔
【図１】
2010128805.tif 000003
【図２】
2010128805.tif 000004
【図３】
2010128805.tif 000005
【図４】
2010128805.tif 000006
【図５】
2010128805.tif 000007
【図６】
2010128805.tif 000008
【図７】
2010128805.tif 000009
【図８】
2010128805.tif 000010
【図９】
2010128805.tif 000011
【図１０】
2010128805.tif 000012
【図１１】
2010128805.tif 000013
【図１２】
2010128805.tif 000014